(57)【要約】【課題】ロール紙の切断後、紙の先端部分を使用者の引き出し易い位置に位置させる利便性に優れたペーパーホルダーを提供する。【解決手段】トイレットペーパーホルダー１は、ホルダー本体２と、カバー部材３と、１対の回転機構部４ａ，４ｂとを備え、回転機構部４ａは、連動回転板１７と、ペーパー支持部材１８と、ペーパー支持部材１８をロール紙Ｒ側へ弾性付勢するコイルバネ１９と、このコイルバネ１９の一端部を受け止めるバネ受け板２０と、ロール紙Ｒの引き出し方向への回動力により捩じり弾性変形する捩じりバネ部材１０と、この捩じりバネ部材１０が所定回転角以上捩じり弾性変形しないように規制する規制機構２１とを備え、ロール紙Ｒを引き出して紙を切断後に捩じりバネ部材１０の弾性復元力でロール紙Ｒが所定回転角巻き取り方向へ回転し、次に使用する紙の先端部分がカバー部材３の紙切り部３ｄよりも下方へ垂れ下がるように構成した。【選択図】図５
2011015710.tif 000002
【特許請求の範囲】
【請求項１】
ロール紙を着脱可能且つ回転可能に装着してカット可能なペーパーホルダーにおいて、  平面視にてコ字形で建物側壁部に固定されるホルダー本体と、
前記ホルダー本体の上端側部分に付設されてロール紙の上面を覆い且つ先端部に紙切り部を有するカバー部材と、
前記ホルダー本体の左右の側板部材に対向状に付設され且つロール紙の両端部を一体回転可能に支持する１対の回転機構部とを備え、
前記回転機構部は、ロール紙の引き出し方向への回動力により捩じり弾性変形する捩じりバネ部材と、この捩じりバネ部材が所定回転角以上捩じり弾性変形しないように規制する規制機構とを有し、
ロール紙を引き出して切断後に前記捩じりバネ部材の弾性復元力でロール紙が前記所定回転角巻き取り方向へ回転し、紙の先端部分が前記カバー部材の紙切り部よりも下方へ垂れ下がるように構成したことを特徴とするペーパーホルダー。
【請求項２】
前記回転機構部は、側板部材に回転可能に装着された連動回転板と、この連動回転板に相対回転不能に且つ左右方向へ可動に装着されてロール紙のコア穴に係合可能なペーパー支持部材と、このペーパー支持部材を突出側へ弾性付勢するコイルバネと、このコイルバネの一端部を受け止めるバネ受け板とを備えたことを特徴とする請求項１に記載のペーパーホルダー。
【請求項３】
前記連動回転板の外周側部分の全周に、複数のリブで仕切られた複数の凹部が形成され、前記捩じりバネ部材は側板部材とバネ受け板の間に配設され、
この捩じりバネ部材は、一端部が側板部材に固定された捩じりバネ部と、この捩じりバネ部の他端から半径方向外側へ延びるレバー部と、このレバー部の先端に形成されて前記リブに係合可能な係合部とを有することを特徴とする請求項２に記載のペーパーホルダー。
【請求項４】
前記側板部材には、前記捩じりバネ部材の係合部が前記リブと係合するようにレバー部を案内する円弧状の案内リブが形成され、
前記規制機構は、前記案内リブのロール紙引き出し方向の前進端部に形成され且つ前記捩じりバネ部材の係合部が前記リブから外れるようにレバー部を案内する逃し案内部で構成されたことを特徴とする請求項３に記載のペーパーホルダー。
【請求項５】
前記所定回転角が約２２０度であることを特徴とする請求項１〜４の何れかに記載のペーパーホルダー。
【発明の詳細な説明】
【技術分野】
【０００１】
本発明は、ロール紙を回転可能に装着してカット可能なペーパーホルダーに関し、特に、ロール紙から引き出された紙の後端部分を切断後、次に使用する紙の先端部分がロール紙の上面を覆うカバー部材の紙切り部よりも下方へ垂れ下がるように構成したペーパーホルダーに関するものである。
【背景技術】
【０００２】
従来から、一般的なトイレットペーパーホルダーにおいては、ロール紙のコア穴にペーパー支持部材を挿通してロール紙を回転自在に保持し、そのロール紙から引き出された紙を、ロール紙の上面を覆うカバー部材の先端部の紙切り部で切断するように構成されている。
【０００３】
従来のトイレットペーパーホルダーにおいては、１回の使用に適正な長さ分の紙が引き出されてその後端部分が切断された後、次に使用する紙の先端部がカバー部材の下側に隠れてしまうため、次に使用する紙を容易に引き出すことができないという問題があった。そのため、次の紙を使用する際、先ず、使用者はカバー部材を上方へ持ち上げてロール紙を直接手で引き出し方向に回転させ、指で掴める程度の長さの紙を紙切り部よりも下方へ引き出す必要があった。特に、高齢者や手に障害がある人にとっては、カバー部材から紙の先端部分を引き出す動作が困難であった。
【０００４】
近年、上記の問題点を解決するために種々の工夫や改良が施されたトイレットペーパーーホルダーが実用に供されている。例えば、特許文献１に記載のトイレットペーパーホルダーにおいては、平面視にてコ字形のホルダー本体の左右の側板部材の一方に回転補助具が付設されている。この回転補助具は、ロール紙よりも大径の略円形板状に形成され、中央部がロール紙のコア穴に係合し、ロール紙と一体回転可能に側板部材に支持されている。
【先行技術文献】
【特許文献】
【０００５】
【特許文献１】特開２００７−２７５５３３号公報
【発明の概要】
【発明が解決しようとする課題】
【０００６】
特許文献１のトイレットペーパーホルダにおいては、回転補助具の外周部分が側板部材よりも前方へ突出しており、紙の先端部が切断板の下側に隠れてしまっている場合、使用者が回転補助具の外周部分を掴んで回転補助具を引き出し方向へ回転させることで、ロール紙が回転して指で掴める程度の長さ分の紙がペーパー切断板よりも下方へ垂れ下がる。
【０００７】
しかし、特許文献１のトイレットペーパーホルダにおいては、使用者が直接手で回転補助具を回転させる操作が必要となるので面倒である。しかも、回転補助具を回転させ過ぎた場合、必要以上の長さの紙が切断板よりも下方へ垂れ下がってしまい、結果として１回の使用に適正な長さ分以上の紙が引き出されてしまう虞がある。
【０００８】
従来のトイレットペーパーホルダーにおいては、紙を紙切り部で切断するときに、カバー部材を強くロール紙側に押えることで、次に使用する紙がロール紙にくっついてしまうため、次に使用する紙の先端部分をロール紙から引き離す必要があり、面倒である。
本発明の目的は、ロール紙を引き出して紙を切断後に、次に使用する紙の先端部分を使用者の引き出し易い位置に位置させる、利便性に優れたペーパーホルダーを提供することである。
【課題を解決するための手段】
【０００９】
請求項１のペーパーホルダーは、ロール紙を着脱可能且つ回転可能に装着してカット可能なペーパーホルダーにおいて、平面視にてコ字形で建物側壁部に固定されるホルダー本体と、ホルダー本体の上端側部分に付設されてロール紙の上面を覆い且つ先端部に紙切り部を有するカバー部材と、ホルダー本体の左右の側板部材に対向状に付設され且つロール紙の両端部を一体回転可能に支持する１対の回転機構部とを備え、回転機構部は、ロール紙の引き出し方向への回動力により捩じり弾性変形する捩じりバネ部材と、この捩じりバネ部材が所定回転角以上捩じり弾性変形しないように規制する規制機構とを有し、ロール紙を引き出して切断後に捩じりバネ部材の弾性復元力でロール紙が所定回転角巻き取り方向へ回転し、紙の先端部分がカバー部材の紙切り部よりも下方へ垂れ下がるように構成したことを特徴としている。
【００１０】
このペーパーホルダーにおいては、使用者が紙の先端部分を掴んでロール紙を引き出し方向へ回転させると、１対の回転機構部がロール紙と一体回転する。回転機構部が回転すると、その回動力により捩じりバネ部材がロール紙の引き出し方向への回動力により所定角捩じり弾性変形する。捩じりバネ部材は、規制機構により、所定回転角以上捩じり弾性変形しないように規制される。
【００１１】
ロール紙から引き出された紙の後端部分が切断された後、捩じりバネ部材の弾性復元力により、回転機構部とロール紙が、所定回転角巻き取り方向へ一体回転して紙の先端部分がカバー部材の紙切り部よりも下方へ垂れ下がるので、次に使用する紙を容易に引き出すことができる。
【００１２】
請求項２のペーパーホルダーは、請求項１の発明において、回転機構部は、側板部材に回転可能に装着された連動回転板と、この連動回転板に相対回転不能に且つ左右方向へ可動に装着されてロール紙のコア穴に係合可能なペーパー支持部材と、このペーパー支持部材を突出側へ弾性付勢するコイルバネと、このコイルバネの一端部を受け止めるバネ受け板とを備えたことを特徴としている。
【００１３】
請求項３のペーパーホルダーは、請求項２の発明において、連動回転板の外周側部分の全周に、複数のリブで仕切られた複数の凹部が形成され、捩じりバネ部材は側板部材とバネ受け板の間に配設され、この捩じりバネ部材は、一端部が側板部材に固定された捩じりバネ部と、この捩じりバネ部の他端から半径方向外側へ延びるレバー部と、このレバー部の先端に形成されてリブに係合可能な係合部とを有することを特徴としている。
【００１４】
請求項４のペーパーホルダーは、請求項３の発明において、側板部材には、捩じりバネ部材の係合部がリブと係合するようにレバー部を案内する円弧状の案内リブが形成され、規制機構は、案内リブのロール紙引き出し方向の前進端部に形成され且つ捩じりバネ部材の係合部がリブから外れるようにレバー部を案内する逃し案内部で構成されたことを特徴としている。
請求項５のペーパーホルダーは、請求項１〜４の発明の何れか１つにおいて、所定回転角が約２２０度であることを特徴としている。
【発明の効果】
【００１５】
請求項１の発明によれば、ペーパーホルダーは、ホルダー本体と、カバー部材と、１対の回転機構部とを備え、回転機構部は、捩じりバネ部材と、規制機構とを有し、ロール紙を引き出して切断後に捩じりバネ部材の弾性復元力でロール紙が所定回転角巻き取り方向へ回転し、紙の先端部分がカバー部材の紙切り部よりも下方へ垂れ下がるように構成したので、回転機構部によりロール紙を自動的に巻き取り方向へ回転させることで、紙の先端部分を使用者が引き出し易い位置に位置させることができる。その結果、次に使用する紙を容易に引き出すことができる。
【００１６】
即ち、ロール紙を引き出して切断した後、次の紙の先端部分がカバー部材の下側に隠れてしまうことがないので、カバー部材を引き上げて次の紙の先端部分を引き出す手間を解消することができる。特に、高齢者や手に障害がある人でも、次に使用する紙をスムーズに引き出すことができる。
【００１７】
請求項２の発明によれば、回転機構部は、側板部材に回転可能に装着された連動回転板と、ロール紙のコア穴に係合可能なペーパー支持部材と、このペーパー支持部材を突出側へ弾性付勢するコイルバネと、このコイルバネの一端部を受け止めるバネ受け板とを備えたので、簡単な構成でもって回転機構部を回転させることができる。
【００１８】
請求項３の発明によれば、連動回転板の外周側部分の全周に、複数のリブで仕切られた複数の凹部が形成され、捩じりバネ部材は側板部材とバネ受け板の間に配設され、この捩じりバネ部材は、一端部が側板部材に固定された捩じりバネ部と、この捩じりバネ部の他端から半径方向外側へ延びるレバー部と、このレバー部の先端に形成されてリブに係合可能な係合部とを有するので、簡単な構成でもって連動回転板を回転させることができる。
【００１９】
請求項４の発明によれば、側板部材には、捩じりバネ部材の係合部がリブと係合するようにレバー部を案内する円弧状の案内リブが形成され、規制機構は、案内リブのロール紙引き出し方向の前進端部に形成され且つ捩じりバネ部材の係合部がリブから外れるようにレバー部を案内する逃し案内部で構成されたので、規制機構により捩じりバネ部材の弾性変形が規制されることで、次に使用する紙の先端部分を使用者の引き出し易い位置に確実に位置させることができる。
請求項５の発明によれば、所定回転角が約２２０度であるので、請求項１〜４と同様の効果を奏する。
【図面の簡単な説明】
【００２０】
【図１】本発明の実施例のトイレットペーパーホルダーの斜視図である。
【図２】トイレットペーパーホルダーの左側面図である。
【図３】トイレットペーパーホルダーの正面図である。
【図４】トイレットペーパーホルダーの平面図である。
【図５】トイレットペーパーホルダーの横断平面図である。
【図６】ホルダー本体の縦断正面図である。
【図７】図６のVII 矢視側面図である。
【図８】図７のVIII−VIII線拡大断面図である。
【図９】１対の回転機構部の縦断面図である。
【図１０】連動回転板の側面図である。
【図１１】連動回転板の縦断面図である。
【図１２】ペーパー支持部材の側面図である。
【図１３】ペーパー支持部材の縦断面図である。
【図１４】バネ受け板の側面図である。
【図１５】バネ受け板の縦断面図である。
【発明を実施するための形態】
【００２１】
以下、本発明を実施するための形態について実施例に基づいて説明する。
【実施例】
【００２２】
以下、本発明の実施例を図面に基づいて説明する。
図１〜図１５に示すように、トイレットペーパーホルダー１は、ロール紙Ｒを着脱可能且つ回転可能に装着して、使用者によりロール紙Ｒから１回の使用に適正な長さ分だけ引き出された紙の後端部分を切断するように構成されている。図１〜図５に示すように、トイレットペーパーホルダー１は、平面視にてコ字形のホルダー本体２と、このホルダー本体２の上端側部分に付設されたカバー部材３と、ロール紙Ｒの左右両端部を一体回転可能に支持する１対の回転機構部４ａ，４ｂを備えている。
【００２３】
ホルダー本体２は、左右方向に細長い連結板部材５と、この連結板部材５の左右両端から直角に前側に屈曲して前方へ延びる１対の側板部材６ａ，６ｂとを一体成形した合成樹脂成形体である。連結板部材５には複数のビス孔（図示略）が形成されており、ビスをビス孔に挿入してトイレの側壁部Ｔａに螺合させることで、ホルダー本体２がトイレの側壁部Ｔａに固定される。
【００２４】
図１〜図７に示すように、左右１対の側板部材６ａ，６ｂは、左右対称のものであるので、右側の側板部材６ａについてのみ説明する。右側の側板部材６ａの前部に形成された円板部の内壁面には、回転機構部４ａを回転自在に収容する円形の収容凹部７が形成されている。尚、１対の回転機構部４ａ，４ｂは、左右対称のものであるので、右側の回転機構部４ａについてのみ説明する。
【００２５】
収容凹部７の奥端面の中央部には、側板部材６ａの円板部に形成されたネジ挿通穴と連通する円形穴８と、この円形穴８の外周縁近傍を囲繞する環状の支軸部９がロール紙Ｒ側（左右方向内側）に向けて突設されている。この支軸部９には、回転機構部４ａの捩じりバネ部材１０の捩じりバネ部１０ａが外嵌されている。支軸部９内には、筒状のスペーサー１１が装着されている。このスペーサー１１は、側板部材６ａのネジ挿通穴を挿通してスペーサー１１の内部に挿入されたボルト１２と、ボルト１２の先端部にワッシャー１３を介して螺嵌されたナット１４とにより支軸部９に固定されている。
【００２６】
図６、図７に示すように、側板部材６ａにおいて収容凹部７の奥端面には、ロール紙Ｒ側に向けて突出した断面矩形状の案内リブ１５が約２２０度の円弧領域に形成されている。
【００２７】
図１〜図４、図６に示すように、合成樹脂製又は金属製のカバー部材３は、ロール紙Ｒの上面を覆うように左右１対の側板部材６ａ，６ｂの後部の上端側部分に付設されている。カバー部材３の本体部３ａの後端部には、側板部材６ａ，６ｂと直交する１対の枢支軸３ｂが設けられ、これら枢支軸３ｂを左右１対の側板部材６ａ，６ｄの後部の上端側部分に固定した合成樹脂製の軸受け部材１６に回動自在に装着することで、カバー部材３が上下方向に位置切換え自在に構成されている。
【００２８】
カバー部材３は、矩形板状に形成されて側面視にて若干前方程下側へ傾斜した本体部３ａと、本体部３ａの前端から斜め下向きに湾曲した湾曲部３ｃと、湾曲部３ｃの下端から直角に前方に屈曲した紙切り部３ｄとを備えている。ロール紙Ｒの上面と当接する紙切り部３ｄの下端面は平坦面に形成されており、カバー部材３を強く押えて紙を切断した後の紙切り部３ｄのロール紙Ｒへの食い込みを防止するようになっている。図２に示すように、ロール紙Ｒがホルダー本体２内に装着されると、カバー部材３は、紙切り部３ｄの下端面がロール紙Ｒの上面に当接し、カバー本体３ａがロール紙Ｒの上面から所定間隔離間した位置でロール紙Ｒの上面を覆うように構成されている。
【００２９】
図５、図９に示すように、１対の回転機構部４ａ，４ｂは、ロール紙Ｒから引き出された紙の後端部分を紙切り部３ｄで切断後、次に使用する紙の先端部分を、自動的に紙切り部３ｄよりも下方へ垂れ下がるようにする機能を有するものである。１対の回転機構部４ａ，４ｂは、左右に対称の構造であり、左右の側板部材６ａ，６ｂの収容凹部７に対向状に且つ回転可能に装着されている。
【００３０】
図５〜図１５に示すように、右側の回転機構部４ａは、側板部材６ａに回転可能に装着された連動回転板１７と、ロール紙Ｒのコア穴に係合可能なペーパー支持部材１８と、ペーパー支持部材１８をロール紙Ｒ側へ弾性付勢するコイルバネ１９と、コイルバネ１９の一端部を受け止めるバネ受け板２０と、ロール紙Ｒの引き出し方向への回動力により捩じり弾性変形する捩じりバネ部材１０と、この捩じりバネ部材１０が所定回転角以上捩じり弾性変形しないように規制する規制機構２１とを備えている。
【００３１】
図５、図９〜図１１に示すように、連動回転板１７は、側板部材６ａの収容凹部７に回転自在に収容された円形状の合成樹脂成形体である。連動回転板１７の中央部には、円形穴１７ａと、この円形穴１７ａの外周縁にロール紙Ｒ側に向けて突出した環状の筒部１７ｂが設けられている。筒部１７ｂには、その内部に収容部１７ｃと、その内端から直角に内側に屈曲した係止部１７ｄとが一体形成されている。収容部１７ｃには、連動回転板１７の外端から円形穴１７ａを介して挿入されたペーパー支持部材１８が装着されている。
【００３２】
図１０、図１１に示すように、連動回転板１７の外面の外周側部分の全周には、所定小間隔おきに形成された断面矩形の複数のリブ１７ｅと、これら複数のリブ１７ｅで仕切られた複数の凹部１７ｆとが設けられている。連動回転板１７には、バネ受け板２０の係止爪２０ａを装着する為の矩形状の取付穴１７ｇが周方向に９０度間隔に形成されている。連動回転板１７には、バネ受け板２０を収容する為の収容孔１７ｈが形成されている。この収容孔１７ｈは、円形穴１７ａと連通し且つ円形穴１７ａよりも大径に形成されている。
【００３３】
図９、図１２、図１３に示すように、ペーパー支持部材１８は、ロール紙Ｒのコア穴の内周面に係合可能な係合部１８ａと、この係合部１８ａの外端部の外周部に外側に向けて突出した環状のフランジ部１８ｂとを有する。
【００３４】
係合部１８ａは、ロール紙Ｒのコア穴よりも僅かに小径に形成された外端開放状の円筒体である。係合部１８ａの内端壁の中央部には円形穴１８ｃが形成され、外周側部分には３つの係合リブ１８ｄが周方向に１２０度間隔に設けられている。この係合リブ１８ｄは、外周側へ移行する程尖鋭化するように断面三角形状に形成されている。
【００３５】
係合部１８ａの内部において円形穴１８ｃの外周縁部には、円形穴１８ｃを囲繞するように突出した環状のバネ支持部１８ｅが設けられている。このバネ支持部１８ｅには、コイルバネ１９の一端部分が外嵌され係合部１８ａで受け止められている。フランジ部１８ｂには、凹状に切り欠いた上下１対の切欠凹部１８ｆが形成されている。
【００３６】
図９に示すように、切欠凹部１８ｆは連動回転板１７の収容部１７ｃの内周壁に形成された嵌合リブ１７ｉに嵌合し、フランジ部１８ｂは、係止部１７ｄに当接している。ペーパー支持部材１８は、連動回転板１７の収容部１７ｃに、係合部１８ａが収容部１７ｃからロール紙Ｒ側へ突出した状態で、連動回転板１７に相対回転不能に装着され、コイルバネ１９により左右方向に可動に装着されている。
【００３７】
図５、図９に示すように、コイルバネ１９は、ペーパー支持部材１８とバネ受け板２０の間に配設され、ペーパー支持部材１８をロール紙Ｒ側へ弾性付勢する付勢力を発生させる圧縮コイルバネである。コイルバネ１９は、一端がペーパー支持部材１８の係合部１８ａで係止され、他端がバネ受け板２０で係止されている。
【００３８】
図５、図９、図１４、図１５に示すように、合成樹脂製のバネ受け板２０は、連動回転板１７よりも小径の円形板状に形成され、連動回転板１７の収容孔１７ｈに装着されている。バネ受け板２０の中央部には、円形穴２０ｂと、この円形穴２０ｂの外周縁近傍を囲繞するようにロール紙Ｒ側へ突出した環状のバネ支持部２０ｃとが設けられている。バネ支持部２０ｃにはコイルバネ１９の他端部分が外嵌されバネ受け板２０の内面で受け止められている。
【００３９】
バネ受け板２０の内面の外周縁近傍部には、連動回転板１７の取付穴１７ｇに着脱可能に装着される係止爪２０ａが周方向に９０度間隔に設けられている。この係止爪２０ａは、バネ受け板２０からロール紙Ｒ側へ向けて突出した弾性変形可能な二股形状に形成され、その先端部の外周面はテーパ状に形成されている。図５に示すように、係止爪２０ａは連動回転板１７の取付穴１７ｇからの挿入時に縮小側に弾性変形し且つその取付穴１７ｇの通過後に拡大側に復帰するように構成されている。
【００４０】
バネ受け板２０は、連動回転板１７の収容孔１７ｈに装着される際、係止爪２０ａが取付穴１７ｇに装着されて連動回転板１７の内面に係止され、円形穴２０ｂの内周壁がスペーサー１１の外周面に遊嵌される。バネ受け板２０は、連動回転板１７の回転時に、連動回転板１７と一体回転する。
【００４１】
図５、図７に示すように、捩じりバネ部材１０は、側板部材６ａとバネ受け板２０の間に側板部材６ａの支軸部９に外嵌保持され且つ一端部が側板部材６ａの収容凹部７の穴に嵌入された捩じりバネ部１０ａと、捩じりバネ部１０ａの他端から半径方向外側へ延びるレバー部１０ｂと、このレバー部１０ｂの先端に形成された係合部１０ｃとを有する。
【００４２】
レバー部１０ｂは、先端側部分の１ヶ所が案内リブ１５に当接し側板部材６ａと平行状態に保持されている。係合部１０ｃはＵ形に形成され、連動回転板１７のリブ１７ｅに係合している。捩じりバネ部材１０は、ロール紙Ｒの引き出し方向の回動力による連動回転板１７の回転により、係合部１０ｃとリブ１７ｅの係合を介して案内リブ１５の始端の係止部１５ａで係止された状態から、支軸部９を中心にロール紙Ｒ引き出し方向に案内リブ１５の後端までの約２２０度の回転角で弾性変形するように構成されている。捩じりバネ部材１０が弾性変形して紙切り部３ｄで紙切断後、捩じりバネ部材１０の弾性復元力で、連動回転板１７の回転を介してロール紙Ｒが自動的に巻き取り方向に回転するようになっている。
【００４３】
図７、図８に示すように、規制機構２１は、案内リブ１５のロール紙Ｒ引き出し方向の前進端部に形成された傾斜スリット状の逃し案内部２１ａであって捩じりバネ部材１０のレバー部１０ｂを導入可能な逃し案内部２１ａと、この逃し案内部２１ａの先端縁に形成されロース紙Ｒ側に向かって突出したストッパー部２１ｂとで構成されている。
【００４４】
図８に示すように、逃し案内部２１ａは、案内リブ１５の前進端部の前面に、ロール紙Ｒの引き出し方向側に行くほど側板部材６ａ側（外側）に移行するように緩傾斜状に形成され、捩じりバネ部材１０が所定回転角（約２２０度）以上弾性変形した場合、捩じりバネ部材１０の係合部１０ｃがリブ１７ｃから外れるようにレバー部１０ｂを案内する。
【００４５】
以上説明したペーパーホルダー１の作用、効果について説明する。
ロール紙Ｒをトイレットペーパーホルダー１に装着する場合、ロール紙Ｒをホルダー本体２内に挿入するとき１対のペーパー支持部材１８の係合部１８ａがコイルバネ１９の付勢力に抗して側板部材６ａ，６ｂ側へ移動する。
【００４６】
ロール紙Ｒがホルダー本体２内に装着されると、係合部１８ａがコイルバネ１９によりロール紙Ｒ側に弾性付勢されているため、係合部１８ａがロール紙Ｒのコア穴に挿入される。係合部１８ａには係合リブ１８ｄが形成されているので、係合リブ１８ｄがコア穴の内周面に食い込むことで、ロール紙Ｒのコア穴の径のバラツキに対処でき、係合部１８ａがコア穴から抜けるのを防止することができ、１対の回転機構部４ａ，４ｂがロール紙Ｒと一体回転するようになっている。
【００４７】
使用者が紙の先端部分を掴んでロール紙Ｒを引き出し方向へ回転させると、ロール紙Ｒの引き出し方向の回動力により連動回転板１７と、連動回転板１７に装着されたバネ受け板２０とが支軸部９を中心にロール紙引き出し方向に一体回転すると共に、この回転により、捩じりバネ部材１０の係合部１０ｃが連動回転板１７のリブ１７ｅに係合した状態で、レバー部１０ｂが案内リブ１５によりロール紙Ｒ引き出し方向に案内され、捩じりバネ部材１０が約２２０度の回転角弾性変形する。
【００４８】
捩じりバネ部材１０が案内リブ１５の前進端部まで弾性変形すると、規制機構２１により捩じりバネ部材１０の弾性変形が規制される。即ち、図８に示すように、捩じりバネ部材１０の係合部１０ｃがリブ１７ｅから外れるようにレバー部１０ｂが逃がし案内部２１ａに案内され、レバー部１０ｂが逃し案内部２１ａに挟持された状態で係合部１０ｃがリブ１７ｅから外れるので、ストッパー部２１ｂにより捩じりバネ部材１０の弾性変形が抑止される。その後は、ロール紙Ｒの引き出し方向への回動力により連動回転板１７とバネ受け板２０のみが回転する。
【００４９】
１回の使用に適正な紙が引き出されてその後端部分がカバー部材３の紙切り部３ｄで切断された後、捩じりバネ部材１０の弾性復元力により、ロール紙Ｒと回転機構部４ａがロール紙Ｒの巻き取り方向へ約２２０度回転する。即ち、連動回転板１７とバネ受け板２０とが支軸部９を中心にロール紙Ｒの巻き取り方向に一体的に回転すると共に、捩じりバネ部材１０の係合部１０ｃが連動回転板１７のリブ１７ｅに係合して案内リブ１５の始端まで復帰し、次に使用する紙の先端部分がその自重によりカバー部材３の紙切り部３ｄよりも下方へ垂れ下がる。そのため、次に使用する紙の先端部分を使用者が引き出し易い位置に位置させることができる。使用者は、直接手でロール紙Ｒを引き出し方向に回転させる必要がないため、次の紙を使用する際の面倒で不衛生的な操作を不要にすることができる。
【００５０】
ロール紙Ｒが引き出されてその後端部分が切断された後、次に使用する紙の先端部分がカバー部材３の下側に隠れてしまうことがないので、次に使用する紙の先端部分を引き出す為の手間を確実に解消でき、次に使用する紙を容易に引き出すことができる。特に、高齢者や手に障害がある人でも、次に使用する紙をスムーズに引き出すことができる。
【００５１】
実施例を部分的に変更した変更例について説明する。
１］捩じりバネ部材１０は、実施例のものに限るものではなく、種々の形状の捩じりバネ部材を採用してもよい。
【００５２】
２］前記実施例では、規制機構２１により捩じりバネ部材１０が約２２０度以上弾性変形しないように規制されたが、この回転角に限るものではない。例えば、規制機構により、捩じりバネ部材１０を、２２０度よりも小さい回転角又は大きい回転角以上弾性変形しないように規制してもよい。
【００５３】
３］前記実施例では、トイレットペーパーホルダー１に本発明を適用したが、その他、キッチンペーパーホルダー等にも本発明を適用することができる。
【００５４】
４］その他、当業者であれば、本発明の趣旨を逸脱することなく、前記実施例に種々の変更を付加した形態が実施可能であり、本発明はそのような変更形態を包含するものである。
【符号の説明】
【００５５】
Ｒ          ロール紙
Ｔａ        トイレの側壁部
１          トイレットペーパーホルダー
２          ホルダー本体
３          カバー部材
３ｄ        紙切り部
４ａ、４ｂ  回転機構部
６ａ、６ｂ  側板部材
１０        捩じりバネ部材
１０ａ      捩じりバネ部
１０ｂ      レバー部
１０ｃ      係合部
１５        案内リブ
１７        連動回転板
１７ｅ      リブ
１７ｆ      凹部
１８        ペーパー支持部材
１９        コイルバネ
２０        バネ受け板
２１        規制機構
２１ａ      逃し案内部
【図１】
2011015710.tif 000003
【図２】
2011015710.tif 000004
【図３】
2011015710.tif 000005
【図４】
2011015710.tif 000006
【図５】
2011015710.tif 000007
【図６】
2011015710.tif 000008
【図７】
2011015710.tif 000009
【図８】
2011015710.tif 000010
【図９】
2011015710.tif 000011
【図１０】
2011015710.tif 000012
【図１１】
2011015710.tif 000013
【図１２】
2011015710.tif 000014
【図１３】
2011015710.tif 000015
【図１４】
2011015710.tif 000016
【図１５】
2011015710.tif 000017